(57)【要約】【課題】  ネットワーク網を介して照明装置を制御するセンターサーバまで赴くことなく、照明装置の状態を認識することができる照明制御システムを提供する。【解決手段】  ネットワーク網Ｎと、ネットワーク網Ｎに接続された照明器具１と、ネットワーク網Ｎに接続され照明器具１と通信し照明器具１の情報を蓄積するセンターサーバ２とを備えた照明制御システムにおいて、センターサーバ２に蓄積された照明器具１に関する情報を受信し、その情報を所有するユーザに知らせる通信端末Ｍを備えてなる。【選択図】図１
2005129365.tif 000002
【特許請求の範囲】
【請求項１】
ネットワーク網と、該ネットワーク網に接続された照明器具と、前記ネットワーク網に接続され前記照明器具と通信し前記照明器具の情報を蓄積するセンターサーバとを備えた照明制御システムにおいて、前記センターサーバに蓄積された前記照明器具に関する情報を受信し、該情報を所有するユーザに知らせる通信端末を備えることを特徴とする照明制御システム。
【請求項２】
前記センターサーバは前記通信端末に対して特定の照明器具の点灯・消灯に関する情報を送信することを特徴とする請求項１に記載の照明制御システム。
【請求項３】
前記センターサーバは特定の照明器具の累積使用時間をカウントし、累積使用時間に関する情報を前記通信端末に送信することを特徴とする請求項１又は請求項２に記載の照明制御システム。
【請求項４】
前記センターサーバは予め登録された累積点灯時間を前記累積使用時間が超過した場合に前記通信端末に対して警告信号を送信し、前記通信端末はユーザに対して警告信号が受信されたことを知らせるようにしたことを特徴とする請求項３に記載の照明制御システム。
【請求項５】
前記センターサーバは特定の照明器具がいつ使用されるかに関するデータを照明点灯パターンとして予め蓄積し、前記照明器具が前記照明点灯パターンに登録された日時になっても点灯されない場合に前記通信端末に対して照明未点灯信号を送信し、前記通信端末はユーザに対して前記照明未点灯信号が受信されたことを知らせるようにしたことを特徴とする請求項１乃至請求項４に記載の照明制御システム。
【請求項６】
前記センターサーバは特定の照明器具が使用されない日時に関するデータを照明点灯パターンとして予め蓄積し、前記照明器具が前記照明点灯パターンに登録されていない日時に点灯された場合に前記通信端末に対して警戒信号を送信し、前記通信端末はユーザに対して前記警戒信号が受信されたことをしらせることを特徴とする請求項１乃至請求項５に記載の照明制御システム。
【請求項７】
前記通信端末から送信される要求信号に対して要求信号に指定される前記照明器具に関する情報を前記通信端末に送信するようにしたことを特徴とする請求項１乃至請求項６に記載の照明制御システム。
【請求項８】
前記通信端末から前記センターサーバに対して制御信号を送信すると、前記センターサーバは送信された前記制御信号に基づいて前記照明器具を制御することを特徴とする請求項１乃至請求項７に記載の照明制御システム。
【請求項９】
前記センターサーバは予め登録された前記通信端末からの信号のみを受信することを特徴とする請求項７及び請求項８に記載の照明制御システム。
【請求項１０】
ネットワーク網と、該ネットワーク網に接続された照明器具と、前記ネットワーク網に接続され前記照明器具と通信し前記照明器具の情報を蓄積するセンターサーバとを備えた照明制御システムにおいて、前記センターサーバは所定の通信端末に対して前記センターサーバに蓄積された照明器具に関する情報を送信することを特徴とする照明制御システム。
【発明の詳細な説明】
【技術分野】
【０００１】
本発明は、照明制御システムに関するものである。
【背景技術】
【０００２】
特開２００３−０６８４７５号公報では、ネットワーク網を介して不特定多数の照明器具を制御することが可能となる照明制御システムが開示されている。このシステムでは、各照明器具がネットワーク網に接続されると自己を示す個体識別信号をネットワーク網に送信する。センターサーバは、ネットワーク網を介して固体識別信号を受信すると、その固体識別信号の照明器具がネットワーク網に接続されたことを認識する。センターサーバは、認識した照明器具からの各種情報を受信すると、照明器具に対してネットワーク網を介して所定の処理を行うように制御信号を送信する。照明器具は、センターサーバからの制御信号を受信すると、制御信号の内容に基づいて照明器具の点灯、消灯、点滅、調光等の制御を行うようになっている。
【０００３】
上述の照明制御システムにあっては、各照明器具は総点灯時間を計測するタイマー手段を備え、総点灯時間が定格点灯寿命時間を超えた時に寿命末期信号をセンターサーバに送信する。センターサーバに接続された表示部は照明器具から送信された寿命末期信号を表示するようになっており、これによりユーザは照明器具の適切な取り替え時期を知ることができるようになっている。
【特許文献１】特開２００３−０６８４７５号公報
【発明の開示】
【発明が解決しようとする課題】
【０００４】
しかしながら、上述した照明制御システムにあっては、各照明器具の状態を表示部により知ることが可能であるものの、ユーザはその表示部のあるところまで行ってその内容を確認しなければならないという問題点を有していた。
【０００５】
本願発明は、上記の問題点に鑑みてなされたものであり、ユーザがどこにいても照明器具の状態を確認することができる照明制御システムを提供することにある。
【課題を解決するための手段】
【０００６】
上記課題を解決するために、本願発明の照明制御システムにあっては、ネットワーク網と、ネットワーク網に接続された照明器具と、ネットワーク網に接続され照明器具と通信するセンターサーバとを有する照明制御システムにおいて、センターサーバは所定の外部通信端末に対して照明器具の点灯状況に関する情報を送信する機能を備えるようにしたものである。
【発明の効果】
【０００７】
本願発明の照明制御システムにおいては、照明器具の各種状態がユーザ所有の外部通信端末に対して送信されるため、ユーザは表示部が設置された場所にいなくても外部通信端末を用いてセンターサーバにアクセスできる場所であれば照明器具の状態を確認することが可能になる。
【発明を実施するための最良の形態】
【０００８】
図1は本発明の実施の形態に係る照明制御システムを示す概略構成図である。このシステムは、電力線やインターネット等の既存のネットワーク網Ｎに複数の照明器具１と、ネットワーク網Ｎの通信制御を行うセンターサーバ２とが接続されて構成されている。各々の照明器具１は、ネットワーク網Ｌを介して信号を送受信する為のネット信号送受信部１ａを備えている。
【０００９】
各照明器具１は、ネットワーク網Ｎに接続されると、自己を示す個体識別信号をネット信号送受信部１ａからネットワーク網Ｎに送信する。センターサーバ２は、ネットワーク網Ｎを介して固体識別信号を受信すると、その固体識別信号の照明器具１がネットワーク網Ｎに接続されたことを認識する。
【００１０】
センターサーバ２は認識した照明器具１からの照明器具１の固有データ、点灯、消灯、点滅、調光、異常、寿命等の各種情報を受信してデータベース部２ａに蓄積するとともに、タイマー機能を備えることで照明器具１の点灯累計時間や各時間における点灯・消灯状況等をデータベース部２ａに蓄積する（図２のＳ２０２参照）。センターサーバ２はデータベース部２ａに蓄積された情報に基づいて、特定の照明器具１に対してネットワーク網Ｎを介して所定の処理を行うように制御信号を送信する。照明器具１はセンターサーバ２からの制御信号を受信すると、制御信号の内容に基づいて点灯、消灯、点滅、調光等を行う。上述した構成によりセンターサーバ２から各照明器具１を制御することが可能となる。
【００１１】
センターサーバ２は携帯電話やモバイルパソコン等の通信機能を備えた通信端末Ｍとデータの送受信が可能な無線信号送受信部２ｂを備えている。ユーザは通信端末Ｍを用いてセンターサーバ２と無線信号を介してデータの送受信を行う（図２のＳ２０３参照）。無線信号送受信部２ｂは、通信端末Mからのアクセスを受けて通信端末Mとデータのやりとりを行うだけでなく、通信端末Mにアクセスする機能を備えており、特定の情報を所定の通信端末Mに送信する。
【００１２】
ユーザが通信端末Ｍを用いて接続動作を行うと、通信端末Ｍはセンターサーバ２に対して識別信号を送信する（図３のＳ３０１参照）。無線信号送受信部２ｂは通信端末Ｍから送信される識別信号を受信すると予め登録された登録信号と照合を行う（図３のＳ３０２参照）。識別信号と登録信号が一致すると無線信号送受信部２ｂは接続許可信号を通信端末Ｍに返信し（図３のＳ３０５参照）、センターサーバ２と通信端末Ｍとの無線を介したデータの授受が開始される（図３のＳ３０６参照）。通信端末Ｍから無線を介してデータベース部２ａにアクセスでき、通信端末Ｍの表示部Ｍ１にはセンターサーバ２により制御される照明器具１の情報が表示される。例えば、表示部Ｍ１にはユーザが指定した照明器具１の点灯累計時間が表示される。
【００１３】
通信端末Ｍからはセンターサーバ２を介して特定の照明器具１に対して制御信号を送信することが可能であり、制御信号を受信すると制御信号の内容に基づいて点灯、消灯、点滅、調光等が行われる。
【００１４】
上述した構成により、ユーザはセンターサーバ２が設置された場所に赴くことなく、通信端末Ｍを介して照明器具１の情報を入手することが可能になる。また、通信端末Ｍによりセンターサーバ２を介して照明器具１を遠隔制御することができる。さらに、センターサーバ２と通信端末Mとの通信が確立される前に識別信号と登録信号が一致するか否かの照合が行われるため、不特定の通信端末Mから不要にセンターサーバ２にアクセスがなされることを防止することが可能となる。識別信号と登録信号が不一致の場合、無線信号送受信部２ｂは接続不許可信号を返信し（図３のＳ３０３参照）、通信端末Ｍの表示部Ｍ１に「接続不可」といった表示がなされるようにしてもよい（図３のＳ３０４参照）。
【００１５】
センターサーバ２に対して所望の照明器具１の累積使用時間を登録するようにしても良い。累積使用時間の登録はセンターサーバ２に対して直接又は通信端末Ｍを介して行われる。累積使用時間はデータベース部２ａに蓄積され、特定の照明器具１の累積点灯時間が登録された累積使用時間を超えると（図４のＳ４０２参照）、センターサーバ２は通信端末Mに対して照明器具１の情報と警告信号を送信する（図４のＳ４０３参照）。通信端末Ｍにあっては警告信号が受信されると特定された照明器具１の情報と累積使用時間が超えたことが表示部Ｍ１に表示されるため（図４のＳ４０４参照）、ユーザはセンターサーバ２を逐次監視することなく照明器具１の点検時期等を知ることができる。
【００１６】
センターサーバ２のデータベース部２ａに照明点灯パターンを登録するようにしてもよい。照明点灯パターンは照明器具１毎に照明が点灯される日時を記載したもので、もし照明器具１が照明点灯パターンに登録された日時に点灯されなければ（図５のＳ５０２参照）センターサーバ２から通信端末Mに対して照明未点灯信号を送信する（図５のＳ５０３参照）。これにより、例えば、通常照明が点灯される時間に所定の照明器具１が点灯されない場合に照明未点灯信号が通信端末Mに送信され、ユーザは照明未点灯信号が受信されたことを表示部M1や照明未点灯信号を着信した時に発生する着信音等により知ることができる（図５のＳ５０４参照）。これにより、ユーザは離れた場所に暮らす家族の生活状態を把握することができる。特にお年寄りの居室にあってはそこに生活する老人の状況を把握する等において有効であり、通常照明が点灯される時間に照明器具１が点灯されていなければ居室にいるお年寄りに何らかのトラブルが生じたのではと推測することができる。
【００１７】
上述の構成にあっては、通常照明器具１が点灯していなければならないときに点灯が確認されない場合、センターサーバ２が照明未点灯信号を発信するようにしているが、通常照明器具１が点灯していないはずなのに照明器具１が点灯された場合、センターサーバ２が警戒信号を通信端末Mに対して送信するようにしてもよい。例えば、通信端末Mを介して若しくは直接センターサーバ２に対して特定の照明器具１に対する警戒状態を設定し、警戒状態にある照明器具１が点灯されるとセンターサーバ２から通信端末Mに対して警戒信号が送信されるようにすれば、居室に不審者が侵入したこと等を離れた場所から確認することができる。ユーザは表示部M１や警戒信号の着信音で警戒信号が通信端末Mで受信されたことを知ることができる。
【００１８】
なお、本実施の形態にあってはセンターサーバ２と通信端末Ｍは無線を介してデータの送受信がなされているが、センターサーバ２と通信端末Ｍが遠隔に通信を行えるのであれば有線を介してデータの送受信がなされるものであっても良い。
【００１９】
上述した構成にあっては、登録された累積点灯時間に基づいてセンターサーバ２から警告信号を発信するようにしているが、照明器具１において照明の寿命を検出するようにし、センターサーバ２において照明器具１から寿命末期信号を送信すると警告信号を発信するようにしても良い。例えば、照明器具１は照明の蓄積点灯時間を数えるタイマー手段を備え、蓄積点灯時間が定格点灯寿命時間を超えた時に照明の寿命と判断して寿命末期信号を送信する。
【図面の簡単な説明】
【００２０】
【図１】本願発明の一実施の形態に係る照明制御システムを示す概略構成図である。
【図２】本願発明の照明制御システムで行われる処理のフローチャートである。
【図３】本願発明の照明制御システムで行われる認証手続きに関するフローチャートである。
【図４】本願発明の照明制御システムで行われる累積点灯時間に基づく警告信号発信に関するフローチャートである。
【図５】本願発明の照明制御システムで行われる照明点灯パターンに基づく照明未点灯信号発信に関するフローチャートである。
【符号の説明】
【００２１】
１    照明器具
１ａ  ネット信号送受信部
２    センターサーバ
２ａ  データベース部
２ｂ  無線信号送受信部
Ｍ    通信端末
【図１】
2005129365.tif 000003
【図２】
2005129365.tif 000004
【図３】
2005129365.tif 000005
【図４】
2005129365.tif 000006
【図５】
2005129365.tif 000007